(57)【要約】【課題】従来のエレベーターは事故が多く故障停止時、回復に長い時間がエレベーター構造上、修理時間が、長くかかり過ぎた。【解決手段】エレベーターのモーター装置に磁極切り換えインバータレールモーターを設置して、弱電波発射及び弱電波受信装置によって、更に外部エレベーター赤外線カメラと赤色ダイオードライト玉を使用したカメラ各階停止の電波連絡装置によって、エレベーター制御装置等の故障停止の復旧エレベーター作動技術とワイヤ摩耗劣化を遅らせた人口ダイヤ粒入り鋼金属を被せたワイヤ構造によって、今まで以上のエレベーター安全を考えた著作権原本装置。【選択図】図1
2013091570.tif 000002
【特許請求の範囲】
【請求項１】
本先発明のエレベーター非常制御停止出来る磁極切り換えインバータ制御レールモーターをエレベーター作動モーターとして設置する事で、非常の場合エレベーター制御停止モーター装置として使用可能なエレベーター設置の磁極切り換えインバータ制御のレールモーター装置。
【請求項２】
本先発明のエレベーター非常制御停止出来る磁極切り換えインバータ制御レールモーターは、軽水素入りの圧電素子内蔵の高出力ダイナモを、レールモーター同一軸に積載した高出力発電ダイナモ積載の磁極切り換えインバータ制御のレールモーター装置。
【請求項３】
本先発明のエレベーター非常制御停止出来る磁極切り換えインバータ制御レールモーター装置は、通常のエレベーターモーターを手動制御及び全自動エレベーター制御出来る磁極切り換えインバータ制御のレールモーター装置。
【請求項４】
本先発明のエレベーター非常制御停止出来る磁極切り換えインバータ制御レールモーター装置は、外部の携帯電話及び携帯無線装置によって、エレベーター制御装置の変わりに磁極切り換えインバータレールモーター制御の手動操作とエレベーターカメラ停止位置確認による外部エレベーター手動操作が出来る磁極切り換えインバータ制御のレールモーター装置。
【請求項５】
本先発明のエレベーター非常制御停止出来る磁極切り換えインバータ制御レールモーター装置の取り付けボルトは、鋼鉄ボルトとナットを使用したエレベーター制御出来る磁極切り換えインバータ制御のレールモーター装置。
【請求項６】
本先発明のエレベーター非常制御停止出来る磁極切り換えインバータ制御レールモーター装置の電磁石は、軽水素入りの圧電素子電磁石装置を使用内蔵した磁極切り換えインバータ制御のレールモーター装置。
【請求項７】
本先発明のエレベーターワイヤ装置は、ワイヤ装置の摩耗消耗劣化を防ぐ為に、通常ワイヤに人口ダイヤの粒を内蔵した鋼金属を熱溶着したワイヤ摩耗劣化消耗を少なくする技術を取り入れた少し重い重量式のエレベーターワイヤ装置。
【請求項８】
本先発明のエレベーターの機械故障による非常停止及びエレベーター制御装置の修理をする時間までの、非常時のエレベーターの磁極切り換えインバータ制御のレールモーター補助全自動作動する為の、エレベーター各階の停止位置を、全自動電波連絡する為の、二つの弱電波発射装置と二つの弱電波受信装置を、エレベーターの各階にそれぞれ設置する事で、エレベーター客室通過を、弱電波スイッチ連絡出来るエレベーターの各階位置の確認及び認識及び電波連絡装置。
【請求項９】
本先発明のエレベーター各階の停止位置のエレベーター外部に設置した赤外線カメラ及び赤外線カメラが被写体感知電波連絡出来る構造として、エレベーター客室の外部に外部カメラが見やすい位置に、赤色ダイオードライトを内蔵したエレベーター客室部分を構造とした非常停止時、別のエレベーター補助モーターの磁極切り換えインバータ制御作動可能なレールモーター補助エレベーター作動する為のエレベーター各階の停止位置確認及び認識及び電波連絡装置。
【発明の詳細な説明】
【技術分野】
【０００１】
本先発明は、一般ビルのエレベーターモーターの構造と制御作動に関する著作権先技術説明。
2009年1月18日(日)PM22時56分22秒から本日ここまでとして眠る練馬和夫墫野ニャンカンキチ。
2009年1月20日(火)PM20時11分30秒から2001年5月発明の磁極切り換えインバータ制御のレールモーターを使用したエレベーターモーター装置の説明を始める。
【背景技術】
【０００２】
従来のエレベーターモーターは、制御装置が無く電気スイッチのオンとオフのスイッチ呑の装置で有った。
更に、(9)の通常モーターの為、モーター自体の正確な制御装置は、モーターブレーキ程度の制御装置しか存在しなかった。(例えば、特許文献1参照。)。
2009年1月20日(火)PM20時44分57秒本日はここまでとする。風呂に入って眠るカンキチニヤン。
2009年1月25日(日)AM9時40分14秒公休日続きを、書き始める。
【０００３】
従来のエレベーターは、エレベーター制御装置が、故障した場合、(1)の補助エレベーターモーターブレーキ作動装置が、存在しなかった為、(12)の補助エレベーターカメラ位置確認手動停止移動が、出来なかった。
【０００４】
従来のエレベーターは、月点検など、年点検だが、毎日のエレベーターカメラによるワイヤ毎日点検は、実施出来ない構造で有り、携帯電話等などのエレベーターカメラ液晶画像確認などが出来なかったばかりか、外部からの非常携帯電話等の外部無線及び外部電話回線作動装置が、設定されてないエレベーター装置だけで有った。
更に、(15)の圧電素子4電子磁気分割装置などの、電気中から電気抵抗を取り除く装置等の技術が、他社に無い為、エレベーター制御装置の余分な電気抵抗熱の流れをくい止める策が、他社に存在しなかった。 (例えば、特許文献2参照。)。
【先行技術文献】
【特許文献】
【０００５】
【特許文献１】特願2006ー140535号
【０００６】
【特許文献２】特開2004ー304992号
【発明の概要】
【発明が解決しようとする課題】
【０００７】
以上に述べた従来のエレベーター装置では、(9)の通常モーター自身が、正確なモーター制御装置が、エレベーター制御装置無しのエレベーターモーター停止装置が存在しなかった。
【０００８】
本発明は、このような従来の構成が有していた問題を解決しようとするもので有り、現在有るエレベーター制御装置のエレベーター停止位置確認を、エレベーター各階の赤外線カメラセンサーの物体の位置確認及び認識及び認知装置によって、各階のエレベーター停止位置を、エレベーター制御装置とエレベーター各階に備え付けて有る、エレベーターカメラ赤外線のエレベーター物体の被写体確認装置と、弱電波手段制御装置の三段階エレベーター停止確認全自動レールモーター補助制御装置の設置によって、危険なエレベーターの作動を防ぐ為の、エレベーター停止位置確認の為の三種類の補助確認装置によって、安全なエレベーター位置の停止作動を目的としたもので有る。
【課題を解決するための手段】
【０００９】
そして、本先発明は上記目的を達成する為にエレベーターの各階停止位置確認の為に、弱電波発射装置と弱電波受信装置を、エレベーターの階毎に、二か所ずつの弱電波発射装置と弱電波受信装置を、設置する事で、各階のエレベーター停止位置を、別の弱電波作動状況パネル装置で管理して、各階を越えた停止位置などに、弱電波受信装置は、反応して緊急連絡して、正常な位置に自動修正して、エレベーターの安全を計る設計になっている。
更に、万が一ワイヤが切れて、エレベーターが、地下に落下した場合の対策として、エレベーターの一番下には、多層構造のパンクしない厚構造のエアークッションゴム構造の対策が、して有る為、万が一の場合でも人を助ける構造にして有る世界初のエレベーター構造で有る。
【００１０】
また、第1の課題解決手段の二番目のエレベーターの各階の停止位置確認装置として、赤外線カメラの被写体確認装置のエレベーター装置のカメラ焦点各階位置確認方法として電気の玉切れが少ないダイオードライトのガラスを、赤にした赤の電球のダイオード玉のエレベーター各階停止カメラ位置赤外線軽水素入りダイオード装置確認によって暗がりでもカメラダイオード光度確認出来る装置によってエレベーターの正確な停止位置を、別の赤外線カメラ停止位置補助確認装置によって、エレベーターの各階の安全な停止確認を補助する装置説明で有る。
従って、三番目のエレベーター制御装置は、通常使用されて入る複数エレベーターモーター回転カンタースイッチ装置のモーターの回転を、カウント数で、エレベーターの各階位置を、把握している通常のエレベーター制御装置で有る。
【００１１】
また、第2の課題解決手段として、磁極切り換えインバータ制御出来るレールモーターを使用する事で、通常エレベーターモーター故障もしくは、エレベーター制御装置が、故障した場合、エレベーター補助制御モーター装置として磁極切り換えインバータ制御レールモーターを、エレベーターモーターの同軸に設置する事で、非常の場合、磁極切り換えインバータ制御出来るレールモーターと第1の課題のエレベーター各階の停止位置確認及び認識及び認知装置の弱電波発射装置と弱電波受信装置と、赤外線カメラ被写体確認及び認識及び認知装置によって、非常のエレベーター作動装置の磁極切り換えインバータ制御レールモーター装置によって、エレベーター本体の故障に対して、緊急対処が速やかに出来る装置で有る。
【００１２】
また、第3の課題解決手段として、非常エレベーターレールモーター同軸に設置して有るダイナモ装置は、軽水素入り圧電素子磁石体内蔵のダイナモ装置は、ダイナモ回転によって、発生する電気打撃で、軽水素入りの圧電素子磁石体に電気打撃を与えて、通常ダイナモ以上に発電効果を望んだ軽水素入り圧電素子は、電気反応の早い軽水素を圧電素子磁石体に内蔵する事で、圧電素子磁石体の発電効果を、軽水素入り圧電素子磁石体構造にする事で、圧電素子磁石体の電気打撃発電を高めた軽水素入り圧電素子内蔵の高出力ダイナモ装置説明で有る。
【００１３】
また、第4の課題解決手段として、エレベーター装置の止めボルト構造は、鋼鉄ボルトナット使用若しくは、鋼鉄芯入りの切れない加工ボルトナットを、使用する事で、エレベーター事故を無くす工夫としている。
【００１４】
また、第5の課題解決手段として、エレベーター故障の場合、緊急の処置対策方法として、電話回線等携帯電話及び無線装置などの外部操作を可能にする為に、別のスイッチ回路を内蔵したエレベーター補助停止作動制御装置説明としている。
【００１５】
また、第6の課題解決手段として、エレベーター制御装置の熱電気及び熱溜まり電気事故のエレベーター制御装置の電気劣化の電気劣化消耗を少なくする為に、圧電素子4電子磁気分割装置を設置する事で、電気制御装置の電気劣化消耗を、遅らす対策をした、圧電素子4電子磁気分割装置で有る。
【００１６】
また、第7の課題解決手段として、エレベーター制御装置を、増やした事と、エレベーターモーター装置を、増やす構造によって、高速制御エレベーターの道の第一歩として、ワイヤの摩耗を防ぐ為に、ダイヤ粒内蔵アルミニュームを、ワイヤにアルミニューム溶解接着する事で、ワイヤ摩耗を、遅らせたワイヤ装置で、これからのワイヤ市場を、リードする世界初の技術によって、他社にまね出来ない世界で一番安全なエレベーター技術を公開試作実験する事で、より劣化スピードを抑えた技術の公開と事実理解を得て更に安全なエレベーター技術を開発する為の世界初のエレベーター技術で有る。
更に、万が一のエレベーターワイヤ切断事故に対処した、エレベーター客室の底に衝撃吸収エアーゴム装置で有り、エレベーターが地上着地する今までコンクリート構造部分を多層エアーゴム構造にする事で、万が一の死亡事故を無くす対策案としている。
作成日                
2009年1月18日PM19時50分練馬区大泉学園町東財建設内で書く
作成場所             
東京都練馬区大泉学園町5丁目35ー9東財建設で書き始める。
提出目的           
特許庁に発明発生郵便物の日付確認をしていただく事によって、発明の保護の趣旨と提出主義に値する特許庁の墫野和夫が書き上げた最新のエレベーター発明技術の個人の発明著作権財産の特許庁公開と国の全額借金返済と都道府県市町村区の全額借金返済の為の先発明技術の2008年1月25日の特許庁事実公開予定で有る。
【発明の効果】
【００１７】
上述したように本先発明のエレベーター制御装置は、エレベーター制御装置の故障の対策時間を、世界で一番短くする為に、緊急補助電源装置を設置した上で、緊急補助エレベーター作動の為の、磁極切り換えインバータ作動のレールモーターとエレベーター各階の正確な位置を、全自動作動の確認及び認識及び認知出来る、弱電波発射装置と弱電波受信装置を
備える対策と、赤外線被写体確認及び認識及び認知全自動作動出来る装置によって、緊急エレベーター停止からの、回復時間を、短くしたエレベーター補助作動装置を提供出来る。
【００１８】
また、エレベーターのワイヤ摩耗を、少なくする為に、人口ダイヤ入りのアルミニューム熱溶着または、人口ダイヤ入りニッケルまたは錫(すず金属)または(鋼スプリング金属)を熱溶着する世界初のワイヤ摩耗防止技術として金属に人口ダイヤを入れてワイヤに熱溶着する技術公開して、万が一のエレベーター落下の対処策として、エレベーターの底とエレベーターの一番下の今までコンクリート構造で有った場所を、多層エアー構造の厚手のエアーゴム装置によって、万が一の事故でも、エレベーター死亡事故を避ける対策によって、より安全なエレベーター生活環境を備える事で、活気の有る生活の効果を発揮するもので有る。
【発明を実施するための形態】
【００１９】
以下、本先発明の実施携帯を図1~図4に基づいて説明する。
【００２０】
図1においては、(1)は磁極切り換えインバータ制御の本田技研の発明日より、一年以上前に先発明して有った磁極切り換えインバータ制御のレールモーターで有り、エレベーターモーターの非常時使用のエレベーターモーター装置で有り、簡単な構造説明として、(2)のレールモーター軸で有り、鋼鉄軸使用で有り、(3)は、インバータ装置で有り、複数の8~16以上の圧電素子磁石体の磁極を連続切り換えする為の複数電磁石分の磁極切り換えインバータ装置で有り、(4)は圧電素子電磁石で有り、(5)絶縁体で有り、レールモーターの磁極を分ける為の複数絶縁体で有り、複数磁極切り換えのインバータ装置内蔵のレールモーターで有る。
【００２１】
図2においては、(6)は、ワイヤ装置のエレベーターワイヤ装置で有り、(7)はエレベーターワイヤ巻き取り装置部分で有り、(8)は、モーター軸受け台で有り、(9)は通常モーターで有り、(10)は、鋼鉄ボルトナット止め装置で有り、(11)は、軽水素入り圧電素子内蔵高出力ダイナモ装置で有り、通常エレベーター作動で、高出力ダイナモ発電出来る、おそらく世界のエレベーター構造初の高出力ダイナモで有り、(12)は、エレベーター外部制御装置で有り、(13)は、レールモーター電気配線で有り、(14)は、高出力ダイナモ電気配線装置で有り、(15)は、圧電素子4電子磁気分割装置のエレベーター制御装置の電気熱を取り除く装置で有り、世界初の電気中の電気抵抗を常温の電気から、取り除く技術の世界初の発明によって、エレベーターの電気熱処理技術で有る。     
【００２２】
図3において、(16)は、衝撃吸収エアーゴムで有り、万が一の落下時の衝撃吸収の為の厚手のエアーゴム装置で有り、(18)多層構造エアーゴムで有り、(19)は、赤色ダイオードライト装置で有り、カメラ被写体確認及び認識及び電波連絡する為のカメラ被写体確認する為の被写体構造で有り、(20)弱電波発射装置で有り、エレベーターの通過位置を、全自動電波連絡出来る装置で有り、次の(21)の弱電波受信装置は、エレベーター通過によって、弱電波遮断によっての電波スイッチ全自動連絡出来る装置で有る。
【００２３】
図4においては、(22)は、ワイヤ蛇口で有り、(23)は、ワイヤ装置部分の通常ワイヤ部分で有り、(24)は、人口ダイヤ粒入りはがね板金属装置は、世界初のワイヤ技術で有るが、ワイヤが少し重くなる欠点が有る。
【図面の簡単な説明】
【００２４】
【図１】本田技研工業の発明日より、一年以上前に先発明して有った先発明証明出来ている磁極切り換えのインバータ制御レールモーターの構造説明図。
【図２】エレベーター緊急補助作動装置の説明図
【図３】エレベーターの緊急時に役立つ万が一の事故対策をしたエレベーター衝撃吸収説明図とエレベーター緊急補助作動用エレベーター各階の位置確認及び認識及び電波連絡装置説明図。
【図４】世界初のワイヤ摩耗劣化を遅くした人口ダイヤ粒入りの鋼金属の熱溶着ワイヤ完成図。
【符号の説明】
【００２５】
1  レールモーター   (磁極切り換えインバータ制御モーター)
2  レールモーター軸 
3  インバータ装置   (レールモーター装置の磁極切り換えインバータ装置)
4  電磁石           (レールモーターの16個の複数電磁石で有り、圧電素子電磁石)
5  絶縁体           (レールモーターの32個の複数絶縁体)
6  ワイヤ  
7  エレベーターワイヤ巻き取り装置 
8  モーター軸受け台  (エレベーターモーター通常エレベーターモーターの受け台)
9  通常モーター      (エレベーターモーター)(エレベーター軽量高出力複数コイルモーター)
10 鋼鉄ボルトナット止め装置
11 軽水素入り圧電素子内蔵ダイナモ  (高出力ダイナモ装置)
12 エレベーター外部制御装置
13 レールモーター電気配線
14 高出力ダイナモ電気配線  
15 圧電素子4電子磁気分割装置   (電気中の電気抵抗だけを取り除く世界初の装置)
16 衝撃吸収エアーゴム装置      (エレベーター底に設置したエアーゴム装置)
17 エレベーター外部カメラ装置  (エレベーター外部カメラエレベーター位置確認及び認 識及び連絡装置)
18 多層構造エアーゴム装置      (水入りエアーゴムを貼り付けて重ねた多層構造エアーゴム)
19 赤色ダイオードライト装置    (エレベーター本体に設置されて入る赤色ダイオードライトの玉装置)
20 弱電波発射装置              (エレベーター通過を確認して全自動非常停止レールモータースイッチを作動させる為の弱電波発射装置
21 弱電波受信装置       (エレベーター通過を確認認識連絡する為の、弱電波発射装置の弱電波発射の弱電波遮断を確認及び認識して                                連絡する為の装置)
22 ワイヤ蛇口                  (人口ダイヤの熱溶着の為の鋼金属を被せた蛇口)
23 ワイヤ装置部分              (通常ワイヤ部分)
24 人口ダイヤ粒入り鋼装置      (人口ダイヤ粒入りの熱溶着したワイヤ摩耗劣化の少ない世界初のワイヤ技術)
2009年1月25日(日)PM16時24分58秒、漸く世界最新技術の発明を書き入れた今まで以上に安全な、エレベーター装置を書き終える。
【図１】
2013091570.tif 000003
【図２】
2013091570.tif 000004
【図３】
2013091570.tif 000005
【図４】
2013091570.tif 000006